(57)【要約】【課題】撮像装置において、発光素子に起因する基板の発熱を効率よく放熱し、高温状態でも信頼性が高い動作環境を得ることにある。【解決手段】撮像装置１には、カメラ部２０の撮像方向に向かって照明光を照射するＬＥＤ素子４０，４０，…が、基板３０の第１面３０ａに、第１および第２配線パターン３１，３２と電気的に接続された状態で実装されている。第１放熱部材５０および第２放熱部材６０，６０は、各々が基板３０を挟んだ状態で基板３０に取り付けられている。第１放熱部材５０は、第１面３０ａと対向する位置に配置されている。第２放熱部材６０，６０の各々は、第２面３０ｂと対向する位置に配置されかつ基板３０を介してＬＥＤ素子４０，４０と対向する位置を含むように配置されている。【選択図】図４
2019211746.tif 000002
【特許請求の範囲】
【請求項１】
カメラ部と、
第１面および第２面を有し、かつ前記第１面および前記第２面の少なくともいずれか一方に形成された配線パターンを有する基板と、
前記基板の前記第１面に、前記配線パターンと電気的に接続された状態で実装され、前記カメラ部の撮像方向に向かって照明光を照射するための発光素子と、
各々が前記基板を挟んだ状態で前記基板に取り付けられ、少なくとも前記基板の発熱を放熱可能な第１および第２放熱部材と、を備え、
前記第１放熱部材は、前記第１面と対向する位置に配置されており、
前記第２放熱部材は、前記第２面と対向する位置に配置されかつ前記基板を介して前記発光素子と対向する位置を含むように配置されている、撮像装置。
【請求項２】
請求項１に記載の撮像装置において、
前記第１放熱部材および前記第２放熱部材は、前記基板を介して互いに熱結合されている、撮像装置。
【請求項３】
請求項２に記載の撮像装置において、
前記基板は、前記基板の厚み方向に貫通形成されたスルーホールを有しており、
前記配線パターンは、
前記第１面に形成された第１配線パターンと、
前記第２面に形成され、前記スルーホールを介して前記第１配線パターンと電気的に接続された第２配線パターンと、を含み、
前記第１配線パターンおよび前記第２配線パターンは、前記スルーホールにより互いに熱結合されている、撮像装置。
【請求項４】
請求項３に記載の撮像装置において、
前記第２配線パターンと前記第２放熱部材との間に配置されていて、前記基板および前記発光素子による発熱を前記第２放熱部材に伝えるための放熱シートをさらに備える、撮像装置。
【請求項５】
請求項１〜４のいずれか１項に記載の撮像装置において、
前記第１放熱部材は、
前記基板の前記第１面と対向する伝熱面、および前記伝熱面の反対側に位置しかつ前記第１面から前記伝熱面に伝わる熱を放熱可能な放熱面を含むベース部と、
前記放熱面に互いに間隔をあけた状態で一体に突設され、空気により冷却される複数のフィンと、を有する、撮像装置。
【請求項６】
請求項５に記載の撮像装置において、
前記複数のフィンは、各々が重力方向に沿って互いに平行に延びるように形成されている、撮像装置。
【請求項７】
請求項６に記載の撮像装置において、
前記第１放熱部材は、前記ベース部の重力方向における上部に配置されかつ前記ベース部の厚み方向に貫通形成されたフィン開口部を有している、撮像装置。
【請求項８】
請求項７に記載の撮像装置において、
前記フィン開口部は、前記各フィンの重力方向における上端部よりも上方に配置されかつ前記フィン同士の間隙の位置に対応するように配置されている、撮像装置。
【請求項９】
請求項８に記載の撮像装置において、
前記第１放熱部材の前記放熱面と対向する位置に配置される前面カバー部をさらに備え、
前記前面カバー部には、前記各フィンの前記上端部よりも上方に配置されかつ前記フィン同士の間隙の位置に対応するように配置された上側開口部が設けられている、撮像装置。
【請求項１０】
請求項９に記載の撮像装置において、
前記前面カバー部には、前記各フィンの重力方向における下端部よりも下方に配置されかつ前記各フィンの前記下端部と対向する位置に配置された下側開口部が設けられている、撮像装置。
【請求項１１】
請求項７に記載の撮像装置において、
前記フィン開口部は、前記フィンの重力方向における上端部と対向する位置に配置されている、撮像装置。
【請求項１２】
請求項５〜１１のいずれか１項に記載の撮像装置において、
前記複数のフィンの各々は略角柱状に形成されていて、前記複数のフィンの各々における底面と側面とが繋がり合う辺および／または側面同士が隣り合う辺の角部には面取り部が形成されている、撮像装置。
【請求項１３】
請求項１に記載の撮像装置において、
前記カメラ部は、前記カメラ部の側面のうち、前記カメラ部の光軸と交差する領域を除く側面を覆う金属シールド部を有し、
前記第１放熱部材および前記第２放熱部材と、前記金属シールド部とは熱絶縁されている、撮像装置。
【請求項１４】
請求項１３に記載の撮像装置において、
前記第１放熱部材および前記第２放熱部材の放熱部材と、前記金属シールド部とは、前記第１放熱部材および前記第２放熱部材の放熱部材と前記金属シールド部との間に空気層が形成される、または、樹脂材が配置されることにより熱絶縁されている、撮像装置。
【請求項１５】
請求項１４に記載の撮像装置において、
前記樹脂材は、前記第１放熱部材および前記第２放熱部材の少なくとも一方と、前記金属シールド部との間で共締めにより固定されている、撮像装置。
【請求項１６】
請求項１〜１５のいずれか１項に記載の撮像装置において、
前記第１放熱部材および前記第２放熱部材は、導電性を有し、少なくとも前記配線パターンを覆う位置で前記基板に固定されている、撮像装置。
【請求項１７】
請求項１６に記載の撮像装置において、
前記基板は、さらに、外部の配線部材と接続されるコネクタ部であって、前記配線パターンと電気的に接続されており、前記外部の配線部材と前記配線パターンとを電気的に接続するためのコネクタ部を有し、
前記第１放熱部材および前記第２放熱部材の少なくとも一方は、前記コネクタ部における前記外部の配線との接続部分以外の部分を覆う覆い部を有する、撮像装置。
【発明の詳細な説明】
【技術分野】
【０００１】
本発明は、撮像装置に関し、特に車両のシートに着座した乗員の状態を監視するための撮像装置に関する。
【背景技術】
【０００２】
従来から、この種の撮像装置として、例えば特許文献１に示されるものが知られている。
【０００３】
特許文献１には、表面に配線が形成された基板と、この基板の表面における左右方向中央の位置で基板の表面側に実装されかつ基板と電気的に接続されたカメラ部と、カメラ部に対し左右側方に所定の間隔をあけた位置で基板の表面側に実装されかつ基板と電気的に接続された左右一対のＬＥＤ素子とを備えた撮像装置が開示されている。左右一対のＬＥＤ素子は、カメラ部の撮影領域に対し照明光を照射するためのものである。
【先行技術文献】
【特許文献】
【０００４】
【特許文献１】特開２０１４−２７４０８号公報
【発明の概要】
【発明が解決しようとする課題】
【０００５】
特許文献１の撮像装置では、ＬＥＤ素子から照明光を照射したときに、ＬＥＤ素子の消費電力に起因してＬＥＤ素子が発熱し、その熱がＬＥＤ素子の実装側となる基板表面に伝わるようになる。しかしながら、特許文献１の撮像装置では、上記発熱を放熱するための部材が設けられていないため、ＬＥＤ素子に起因する基板の発熱を適切に放熱することができないという問題があった。
【０００６】
本発明は斯かる点に鑑みてなされたものであり、その目的は、発光素子に起因する基板の発熱を効率よく放熱し、高温状態となっても信頼性が高い動作環境を得ることにある。
【課題を解決するための手段】
【０００７】
上記の目的を達成するために、本発明の一実施形態に係る撮像装置は、カメラ部と、第１面および第２面を有しかつ第１面および第２面の少なくともいずれか一方に形成された配線パターンを有する基板と、基板の前記第１面に、配線パターンと電気的に接続された状態で実装され、カメラ部の撮像方向に向かって照明光を照射するための発光素子と、各々が基板を挟んだ状態で基板に取り付けられ、少なくとも基板の発熱を放熱可能な第１および第２放熱部材と、を備え、第１放熱部材は、第１面と対向する位置に配置されており、第２放熱部材は、第２面と対向する位置に配置されかつ基板を介して発光素子と対向する位置を含むように配置されている。
【発明の効果】
【０００８】
本発明によると、発光素子に起因する基板の発熱を効率よく放熱することができ、高温状態となっても信頼性が高い動作環境を得ることができる。
【図面の簡単な説明】
【０００９】
【図１】図１は、実施形態に係る撮像装置を上方から見て示す全体斜視図である。
【図２】図２は、実施形態に係る撮像装置を下方から見て示す全体斜視図である。
【図３】図３は、実施形態に係る撮像装置の分解斜視図である。
【図４】図４は、実施形態に係る撮像ユニットの分解斜視図である。
【図５】図５は、基板およびＬＥＤ素子を前方から見て示す正面図である。
【図６】図６は、基板を後方から見て示す背面図である。
【図７】図７は、第１放熱部材を前方から見て示す正面図である。
【図８】図８は、第１放熱部材を後方から見て示す斜視図である。
【図９】図９は、第１および第２配線パターンが形成された部分において、基板と第１および第２放熱部材との取付状態を部分的に拡大して示す部分拡大断面図である。
【図１０】図１０は、第１および第２グランド部が形成された部分において、基板と第１および第２放熱部材との取付状態を部分的に拡大して示す部分拡大断面図である    。
【図１１】図１１は、車室内のオーバーヘッドコンソールを下方から見て示す斜視図である。
【図１２】図１２は、実施形態に係る撮像装置をオーバーヘッドコンソールの内部に設置したときの設置構造を上方から見て示す斜視図である。
【図１３】図１３は、図１２のXIII−XIII線断面図である。
【図１４】図１４は、フィン周辺で自然対流している空気の流れを概略的に示す部分拡大図である。
【図１５】図１５は、実施形態の変形例１に係る撮像装置を示す図１相当図である。
【図１６】図１６は、実施形態の変形例１に係る撮像装置をオーバーヘッドコンソールの内部に設置したときの設置構造を上方から見て示す図１３相当図である。
【図１７】図１７は、実施形態の変形例１において、フィン周辺で自然対流している空気の流れを概略的に示す図１４相当図である。
【図１８】図１８は、実施形態の変形例２において、フィン周辺で自然対流している空気の流れを概略的に示す図１４相当図である。
【図１９】図１９は、実施形態の変形例３に係る撮像装置における撮像ユニットを前方から見て示す斜視図である。
【図２０】図２０は、実施形態の変形例３に係る撮像装置における撮像ユニットを後方から見て示す斜視図である。
【図２１】図２１は、実施形態の変形例３に係る撮像ユニットの分解斜視図である。
【図２２】図２２は、図２０のＸＸＩＩ−ＸＸＩＩ線断面図である。
【発明を実施するための形態】
【００１０】
以下、本発明の実施形態を図面に基づいて詳細に説明する。以下の実施形態の説明は、本質的に例示に過ぎず、本発明、その適用物或いはその用途を制限することを意図するものではない。
【００１１】
図１および図２は、実施形態に係る撮像装置１の全体を示している。撮像装置１は、車両に搭載され、車両のシートに着座した乗員の状態を監視するための装置である。撮像装置１は、例えば自動車の車室におけるオーバーヘッドコンソール１００内に設置される（図１１〜図１３参照）。
【００１２】
以下の説明では、後述する撮像ユニット１０を構成する基板３０の第１面３０ａ側を前側（前方）とし、基板３０の第２面３０ｂ側を後側（後方）として撮像装置１および撮像ユニット１０の前後方向の位置関係を表すものとする。なお、このような位置関係は、撮像装置１または撮像ユニット１０が車両内に設置される際の実際の前後方向とは無関係である。また、図１および図２に示すように、各図の下方向が重力方向であると定義する。したがって、以下の説明で、下方と記載されるものは重力方向であり、上方と記載されるものは重力方向とは反対方向である。
【００１３】
（カバー部材）
図１〜図３に示すように、撮像装置１は、カバー部材２を備えている。カバー部材２は、撮像装置１のケーシングを構成している。カバー部材２は、カバー本体部３と、天面カバー部４と、前面カバー部５と、を有している。
【００１４】
カバー本体部３および天面カバー部４は、例えばアルミニウムなどの金属材からなり、後述するメイン基板６および撮像ユニット１０を収容可能となるよう構成されている。天面カバー部４は、ビスＶ，Ｖ，…（図３参照）により後述のメイン基板６に取付固定される。なお、天面カバー部４の中央には、後述するカメラ部２０の電源部２２を露出させるための開口部４ａが形成されている。
【００１５】
前面カバー部５は、後述する第１放熱部材５０の放熱面５０ｂと対向する位置に配置され、ビスＶ，Ｖ（図３参照）により第１放熱部材５０に取付固定される。前面カバー部５は、例えば赤外線領域における光の波長を透過可能なアクリル樹脂等の樹脂材からなる。この前面カバー部５により、後述するレンズ部２３およびＬＥＤ素子４０，４０，…が保護されるとともに、ＬＥＤ素子４０，４０，…の照明光が撮像装置１の前方に向かって透過可能となっている。
【００１６】
図１および図３に示すように、前面カバー部５は、上端部が後述する第１放熱部材５０の上端部よりも下方に位置するように形成されている。前面カバー部５の上端部には、開口凹部５ａが設けられている。開口凹部５ａは、前面カバー部５の上端部を後側から前側に向かって凹陥状に切り欠いた状態となるように形成されている。
【００１７】
開口凹部５ａは、前面カバー部５が後述する第１放熱部材５０に固定された状態において、後述の各フィン５４の上端部よりも上方に位置している（図１３および図１４参照）。そして、開口凹部５ａにより、前面カバー部５の上端部と、後述する第１放熱部材５０の放熱面５０ｂとの間に間隙が形成されるようになっている。
【００１８】
図２に示すように、前面カバー部５の下端部には、下側開口部５ｂ，５ｂ，…が設けられている。各下側開口部５ｂは、前面カバー部５の下面を上下方向に貫通するように形成されている。下側開口部５ｂ，５ｂ，…は、前面カバー部５下面の周方向に沿って間隔をあけて配置されている。そして、各下側開口部５ｂは、前面カバー部５が後述する第１放熱部材５０に固定された状態において、後述の各フィン５４の重力方向における下端部よりも下方に位置しかつ各フィン５４の下端部と対向する位置に配置されている（図１４参照）。
【００１９】
（メイン基板）
図３に示すように、撮像装置１は、メイン基板６を備えている。メイン基板６は、例えばポリ塩化ビフェニル(ＰＣＢ）の多層構造からなり、平面視で略矩形状に形成されている。メイン基板６は、図示しない配線部材により後述する撮像ユニット１０の基板３０と電気的に接続される。なお、天面カバー部４とメイン基板６との間には、放熱シート７，７が設けられている。
【００２０】
メイン基板６には、後述するカメラ部２０（カメラ本体部２１）上部を挿入した状態で保持するためのカメラ挿入孔６ａが設けられている。カメラ挿入孔６ａは、メイン基板６の中央部を上下方向に貫通するように形成されている。
【００２１】
（撮像ユニット）
図１〜図４に示すように、撮像装置１は、撮像ユニット１０を備えている。撮像ユニット１０は、カメラ部２０、基板３０、ＬＥＤ素子４０，４０，…（発光素子）、第１放熱部材５０、第２放熱部材６０、および放熱シート７０，７０を主な構成要素としている。以下、各構成要素について詳述する。
【００２２】
（カメラ部）
カメラ部２０は、カメラ本体部２１を有している。カメラ本体部２１は、略四角柱の筐体状に形成されている。カメラ本体部２１の上側には、外部機器に接続するための電源部２２が設けられている。カメラ本体部２１の前側には、レンズ部２３が設けられている。レンズ部２３は、少なくとも、カメラ部２０における撮像のために設けられている撮像開口部の一例である。カメラ本体部２１の左右側部には、カメラ部２０を基板３０および第１放熱部材５０に取付固定するためのビス取付部２４，２４が設けられている。
【００２３】
（基板）
図４に示すように、基板３０は、略板状に形成されている。基板３０は、例えばポリ塩化ビフェニル(ＰＣＢ）の多層構造からなる。基板３０は、正面視において左右側部における下側の隅角部がそれぞれ面取りされている。基板３０は、カメラ部２０の前方に配置されている。
【００２４】
図５および図６に示すように、基板３０は、第１面３０ａおよび第２面３０ｂを有している。第１面３０ａは基板３０の表面に対応する一方、第２面３０ｂは基板の裏面に対応している。すなわち、基板３０は、第１面３０ａが撮像装置１の前方に向かうように配置されている。
【００２５】
基板３０には、所定の位置にビス挿入孔３０ｃ，３０ｃ，…が形成されている。また、基板３０には、後述する第１放熱部材５０のピン部５０ｄ，５０ｄおよびボス部５０ｅ，５０ｅの各々を挿入するためのピン挿入孔３０ｄ，３０ｄおよびボス挿入孔３０ｅ，３０ｅがそれぞれ形成されている。さらに、基板３０には、後述する第１放熱部材５０の各凸部５０ｆを嵌合可能な凹部３０ｆ，３０ｆ，…が設けられている。凹部３０ｆ，３０ｆ，…は、基板３０の左右側部および上端部のそれぞれの位置に凹陥状に切り欠き形成されている。
【００２６】
基板３０には、レンズ部２３を撮像ユニット１０の前方に露出させるための中央開口部３０ｇが設けられている。中央開口部３０ｇは、正面視で左右方向略中央に配置されている。中央開口部３０ｇは、基板３０の下端部から上下方向略中央に向かって略円弧状に切り欠き形成されている。
【００２７】
基板３０には、コネクタ部４１，４１が設けられている。コネクタ部４１，４１は、図示しない外部の配線部材によりメイン基板６と後述する配線パターンとを電気的に接続するためのものである。つまり、コネクタ部４１、４１は、外部の配線部材と接続され、外部の配線部材と配線パターンとを電気的に接続する。コネクタ部４１，４１は、基板３０の第２面３０ｂ上部に固定されている。
【００２８】
次に、基板３０は、所定の配線パターンを有している。具体的に、図５および図６に示すように、配線パターンは、第１配線パターン３１および第２配線パターン３２，３２を含む。第１配線パターン３１および第２配線パターン３２，３２は、例えば銅箔などの導体金属からなる。
【００２９】
なお、図５では、第１配線パターン３１および後述する第１グランド部３３を強調して示すために、第１配線パターン３１および第１グランド部３３の各々をドットによるハッチングで示している。これと同様に、図６についても、第２配線パターン３２，３２および後述する第２グランド部３４を強調して示すために、第２配線パターン３２，３２および第２グランド部３４をドットによるハッチングで示している。
【００３０】
図５に示すように、第１配線パターン３１は、基板３０の第１面３０ａに形成されている。具体的に、第１配線パターン３１は、第１面３０ａに広がる面状パターンとして構成されている。
【００３１】
第１配線パターン３１は、第１面３０ａにおいてＬＥＤ素子４０，４０，…が実装された位置を含む領域に配置されていて、各ＬＥＤ素子４０の端子部（図示せず）と電気的に接続されている。また、第１配線パターン３１は、ＬＥＤ素子４０，４０，…の各々を直列接続するように構成されている。
【００３２】
図６に示すように、第２配線パターン３２，３２は、基板３０の第２面３０ｂに形成されている。具体的に、第２配線パターン３２，３２は、第２面３０ｂに広がる面状パターンとして構成されている。
【００３３】
第２配線パターン３２，３２は、左右に間隔をあけて配置されている。具体的に、各第２配線パターン３２は、第２面３０ｂにおいて、基板３０を介して第１面３０ａに実装されたＬＥＤ素子４０，４０と対向する位置に配置されている。また、第２配線パターン３２は、コネクタ部４１，４１と電気的に接続されている。
【００３４】
次に、基板３０は、グランド電位に接続された第１および第２グランド部３３，３４を有している。第１および第２グランド部３３，３４は、例えば銅箔などの導体金属からなる。
【００３５】
第１グランド部３３は、第１面３０ａに広がる面状パターンとして構成されている。第１グランド部３３は、第１配線パターン３１を囲うように形成されていて、第１配線パターン３１の周縁部と間隔をあけて配置されている。
【００３６】
第２グランド部３４は、第２面３０ｂに広がる面状パターンとして構成されている。第２グランド部３４は、各第２配線パターン３２を囲うように形成されていて、各第２配線パターン３２の周縁部と間隔をあけて配置されている。
【００３７】
基板３０は、スルーホール３５，３５，…およびスルーホール３６，３６，…を有している。スルーホール３５，３６の各々は、例えば銅箔などの導体金属からなり、基板３０の厚み方向に貫通形成されている。
【００３８】
スルーホール３５，３５，…は、基板３０の厚み方向において第１および第２配線パターン３１，３２が互いに重なる位置に配置されている。これにより、第１および第２配線パターン３１，３２は、互いに電気的に接続された状態となる。さらに、第１および第２配線パターン３１，３２は、スルーホール３５，３５，…により互いに熱結合された状態となっている。
【００３９】
スルーホール３６，３６，…は、基板３０の厚み方向において第１および第２グランド部３３，３４が互いに重なる位置に配置されている。これにより、第１および第２グランド部３３，３４は、互いに電気的に接続された状態となる。さらに、第１および第２グランド部３３，３４は、スルーホール３６，３６，…により互いに熱結合された状態となっている。
【００４０】
（ＬＥＤ素子）
図４および図５に示すように、ＬＥＤ素子４０，４０，…（発光素子）は、撮像装置１の前側、すなわちカメラ部２０の撮像方向に向かって照明光を照射するように構成されている。
【００４１】
ＬＥＤ素子４０，４０，…は、基板３０の第１面３０ａに配設されている。ＬＥＤ素子４０，４０，…は、基板３０の第１面３０ａにおいて左右方向に互いに間隔をあけて配置されている。ＬＥＤ素子４０，４０，…は、第１配線パターン３１と電気的に接続された状態で実装されている。ＬＥＤ素子４０，４０，…は、第１配線パターン３１により直列接続された状態となっている。
【００４２】
（第１および第２放熱部材）
図４に示すように、第１および第２放熱部材５０，６０は、少なくとも基板３０の発熱を放熱可能となるように構成されている。第１および第２放熱部材５０，６０としては、例えば熱伝導率が高い材料が適している。具体的に、第１および第２放熱部材５０，６０は、アルミダイカストまたは亜鉛ダイカストからなる。つまり、第１および第２放熱部材５０，６０は、例えば、金属などの導電性を有する材料により構成されている。
【００４３】
第１放熱部材５０は基板３０の第１面３０ａ（すなわちＬＥＤ素子４０の実装面）と対向する位置に配置される一方、第２放熱部材６０，６０は基板の第２面３０ｂと対向する位置に配置される（図９および図１０参照）。そして、第１および第２放熱部材５０，６０の各々は、基板３０を第１面３０ａ側および第２面３０ｂ側の双方から挟んだ状態で基板３０に取付固定されている。
【００４４】
図７〜図１０に示すように、第１放熱部材５０は、略板状のベース部５１を有している。ベース部５１は、裏面が伝熱面５０ａとなりかつ表面が放熱面５０ｂとなるように構成されている。ベース部５１は、伝熱面５０ａが基板３０の第１面３０ａと対向するように伝熱可能に取付固定される。放熱面５０ｂは、基板３０の第１面３０ａから伝熱面に伝わった熱を撮像ユニット１０の前側に放熱可能となっている。
【００４５】
ベース部５１には、伝熱面５０ａの周縁に位置しかつ伝熱面５０ａから後方に向かって立ち上がった壁状の周壁部５２が形成されている（図８参照）。また、ベース部５１には、伝熱面５０ａの左右側方に位置しかつ伝熱面５０ａから後方に向かって突設された台座部５３，５３が形成されている。この台座部５３，５３は、後述するブラケット１０４をビスにより取付固定するためのものである。
【００４６】
ベース部５１には、基板３０および第２放熱部材６０，６０を第１放熱部材５０に取付固定するためのビス締結部５０ｃ，５０ｃ，…が設けられている。各ビス締結部５０ｃは、ベース部５１の伝熱面５０ａおよび放熱面５０ｂのそれぞれから円筒状に突出している。
【００４７】
伝熱面５０ａには、左右一対のピン部５０ｄ，５０ｄが突設されている。この各ピン部５０ｄは、基板３０の各ピン挿入孔３０ｄ（図５および図６参照）および第２放熱部材６０における後述の各ピン挿入孔６０ｄ（図４参照）に挿入可能となっている。この各ピン部５０ｄにより、基板３０と第１および第２放熱部材５０，６０との位置合わせが容易となる。
【００４８】
また、図８に示すように、伝熱面５０ａには、左右一対のボス部５０ｅ，５０ｅが突設されている。この各ボス部５０ｅは、基板３０の各ボス挿入孔３０ｅ（図５および図６参照）に挿入可能となっている。そして、カメラ部２０の後方からビス取付部２４，２４の孔部に挿入されたビスＶ，Ｖを、基板３０のボス挿入孔３０ｅ，３０ｅに挿入されたボス部５０ｅ，５０ｅに締結固定することにより、カメラ部２０が基板３０および第１放熱部材５０に取付固定される（図４参照）。
【００４９】
第１放熱部材５０は、凸部５０ｆ，５０ｆ，…を有している。各凸部５０ｆは、台座部５３の内側面からベース部５１の左右方向中央に向かって突出している。
【００５０】
第１放熱部材５０は、レンズ開口部５０ｇを有している。レンズ開口部５０ｇは、ベース部５１の左右方向略中央部を前後方向に貫通するように形成されている。レンズ開口部５０ｇは、略矩形状に形成されている。このレンズ開口部５０ｇにより、レンズ部２３を、カメラ部２０を第１放熱部材５０に取付固定した状態で撮像装置１の前側に露出させることが可能となる。
【００５１】
第１放熱部材５０は、複数（図示例では４つ）のＬＥＤ開口部５０ｈ，５０ｈ，…を有している。各ＬＥＤ開口部５０ｈは、ベース部５１を前後方向に貫通するように形成されている。各ＬＥＤ開口部５０ｈは、略矩形状に形成されていて、基板３０の第１面３０ａに実装された各ＬＥＤ素子４０の位置に対応するように配置されている。このＬＥＤ開口部５０ｈにより、各ＬＥＤ素子４０の照明光を、撮像装置１の前側に向かって透過することが可能となる。
【００５２】
第１放熱部材５０は、放熱面積を拡大させるためのフィン５４，５４，…を有している。フィン５４，５４，…は、ベース部５１の放熱面５０ｂに互いに間隔をあけた状態で一体に突設されている。より具体的に、図１４に示すように、各フィン５４は、上下方向に延びる略四角柱状に形成されていて、各側面に沿って上下方向に自然対流による空気Ａの流れが生じるようになっている。すなわち、各フィン５４の周囲に流れる空気Ａにより第１放熱部材５０が冷却される。
【００５３】
図７に示すように、第１放熱部材５０は、フィン開口部５５，５５，…を有している。フィン開口部５５，５５，…は、ベース部５１の重力方向における上部に配置されている。フィン開口部５５，５５，…は、ベース部５１をその厚み方向に貫通するように形成されている。各フィン開口部５５は、ベース部５１の上部において左右方向に互いに間隔をあけて配置されている。具体的に、各フィン開口部５５は、左右方向においてフィン５４，５４同士の間隙の位置に対応するように配置されている（図１４参照）。すなわち、各フィン開口部５５は、各フィン５４の重力方向における上端部と左右方向にずれた位置に配置されている。
【００５４】
次に、図４に示すように、第２放熱部材６０，６０は、左右一対となるように配設されている。各第２放熱部材６０は、基板３０を介してＬＥＤ素子４０，４０と対向する位置を含む位置に配置されている。
【００５５】
各第２放熱部材６０は、略板状に形成されている。そして、図９に示すように、各第２放熱部材６０は、表面が伝熱面６０ａとなりかつ裏面が放熱面６０ｂとなるように構成されている。
【００５６】
各第２放熱部材６０は、伝熱面６０ａが基板３０の第２面３０ｂと対向するように伝熱可能に取付固定されている。放熱面６０ｂは、基板３０の第２面３０ｂから第２放熱部材６０の伝熱面６０ａに伝わる熱を放熱可能となっている。
【００５７】
各第２放熱部材６０には、ビス取付部６０ｃ，６０ｃ，…が形成されている。そして、各第２放熱部材６０の後方から各第２放熱部材６０におけるビス取付部６０ｃ，６０ｃ，…および基板３０のビス挿入孔３０ｃ，３０ｃ，…に挿入されたビスＶ，Ｖ，…を、基板３０のビス挿入孔３０ｃに挿入されたビス締結部５０ｃ，５０ｃ，…に締結固定している。これにより、第２放熱部材６０が、基板３０および第１放熱部材５０に取付固定される。
【００５８】
また、第２放熱部材６０には、第１放熱部材５０のピン部５０ｄ，５０ｄを挿入するためのピン挿入孔６０ｄ，６０ｄが形成されている。
【００５９】
また、第１および第２放熱部材５０，６０は、少なくとも第１配線パターン３１および第２配線パターン３２，３２を覆う位置で基板３０に固定されている。なお、第１放熱部材５０は、平面視において第１配線パターン３１の全部を覆っていることが好ましいが、第１配線パターン３１の一部を覆っていてもよい。第２放熱部材６０は、平面視において第２配線パターン３２，３２の全部を覆っていることが好ましいが、第２配線パターン３２，３２の一部を覆っていてもよい。第１放熱部材５０は、第２配線パターン３２，３２を覆っていてもよい。また、第２放熱部材６０は、第１配線パターン３１を覆っていてもよい。このように、第１および第２放熱部材５０，６０は、第１配線パターン３１および第２配線パターン３２，３２を覆っているため、第１配線パターン３１および第２配線パターン３２，３２による電磁ノイズのカメラ部２０への影響を低減することができる。
【００６０】
（放熱シート）
図４に示すように、撮像ユニット１０は、放熱シート７０，７０，…を備えている。各放熱シート７０は、放熱性および絶縁性を有する材料からなり、薄膜状に形成されている。図９にも示すように、各放熱シート７０は、第２配線パターン３２と第２放熱部材６０の伝熱面６０ａとの間に配置されていて、基板３０およびＬＥＤ素子４０，４０，…による発熱を第２放熱部材６０に伝熱可能となっている。
【００６１】
（熱結合構造）
図９に示すように、第２放熱部材６０は、伝熱面６０ａが第２配線パターン３２と放熱シート７０，７０を介して接触するように構成されている。すなわち、第２放熱部材６０は、第２配線パターン３２と熱結合している。
【００６２】
また、図１０に示すように、第１放熱部材５０は、伝熱面５０ａ側に位置するビス締結部５０ｃの端面がはんだ等からなる接合部３７を介して第１グランド部３３と接触するように構成されている。すなわち、第１放熱部材５０は、第１グランド部３３と熱結合している。また、第２放熱部材６０は、伝熱面６０ａ側に位置するビス取付部６０ｃの端面が接合部３７を介して第２グランド部３４と接触するように構成されている。すなわち、第２放熱部材６０は、第２グランド部３４と熱結合している。
【００６３】
そして、図５および図６に示すように、第１および第２配線パターン３１，３２は、スルーホール３５，３５，…により互いに熱結合されている。第１および第２グランド部３３，３４は、スルーホール３６，３６，…により互いに熱結合されている。すなわち、第１および第２放熱部材５０，６０は、基板３０に設けられた各スルーホール３５および各スルーホール３６を介して互いに熱結合された状態となっている。
【００６４】
なお、本実施形態では、はんだ等からなる接合部３７により、第１放熱部材５０のビス締結部５０ｃ端面と第１グランド部３３との接合部分が腐食しないようにその進行を抑制することが可能となる。これと同様に、第２放熱部材６０のビス取付部６０ｃ端面と第２グランド部３４との接合部分についても、接合部３７により腐食の進行が抑制される。
【００６５】
（設置構造）
次に、図１１〜図１３は、撮像装置１を、車室内に設けられたオーバーヘッドコンソール１００内に設置したときの設置構造を示している。
【００６６】
図１１〜図１３に示すように、オーバーヘッドコンソール１００の下部には、細長い略矩形状の下側スリット部１０１，１０１，…が設けられている。一方、オーバーヘッドコンソール１００の前面上部には、細長い略矩形状の上側スリット部１０２，１０２，…が設けられている。
【００６７】
また、オーバーヘッドコンソール１００の前面には、主に赤外線を透過可能な樹脂シートからなる透過部１０３が形成されている。この透過部１０３により、撮像装置１に設けられた各ＬＥＤ素子４０の照明光を、オーバーヘッドコンソール１００の前側に向かって透過することが可能となる。
【００６８】
図１２および図１３に示すように、撮像装置１は、ブラケット１０４によりオーバーヘッドコンソール１００に取付固定されている。このブラケット１０４は、撮像装置１を、オーバーヘッドコンソール１００内において水平方向に対し所定の角度だけ下方に傾けた状態で固定するように構成されている。
【００６９】
例えば、撮像装置１を一般的な乗用車に設置する場合には、ブラケット１０４により撮像装置１を水平方向に対して下方に３０°傾くように設置すればよい。要は、撮像装置１を、車室内の座席に着座した乗員の頭部付近を撮像可能となるようにオーバーヘッドコンソール１００内に設置すればよい。
【００７０】
なお、撮像装置１を上記所定の角度だけ傾けることにより、オーバーヘッドコンソール１００の前面部を傾斜させることが可能となる。その結果、オーバーヘッドコンソール１００内の上側から浸入した水滴を、オーバーヘッドコンソール１００の前面部裏側を通じて下側スリット部１０１，１０１，…に向かって排出しやすくなる。すなわち、車室内で結露などにより生じた水滴を、オーバーヘッドコンソール１００に設置した撮像装置１に浸入させないようにすることができる。
【００７１】
図１３に示すように、撮像装置１をオーバーヘッドコンソール１００内に設置した場合には、下側スリット部１０１，１０１，…を通過した空気Ａが、前面カバー部５の下側開口部５ｂ、５ｂ、…に向かって流入する。
【００７２】
次に、下側開口部５ｂ、５ｂ、…に流入した空気Ａは、前面カバー部５と第１放熱部材５０との間を通過し、撮像装置１の上側に向かって流れる。そして、上記空気Ａは、上側スリット部１０２，１０２，…から外部に向かって流出する。一方、図１４にも示すように、上記空気Ａは、前面カバー部５の開口凹部５ａと第１放熱部材５０の放熱面５０ｂとの間を通過し、オーバーヘッドコンソール１００の外側に向かって流出する。また、上記空気Ａは、第１放熱部材５０のフィン開口部５５，５５，…を通過し、オーバーヘッドコンソール１００の外側に向かって流出する。
【００７３】
さらに、上記設置構造では、下側スリット部１０１，１０１，…を通過した空気Ａが、撮像装置１におけるカバー本体部３（カバー部材２）の下面に沿いながらオーバーヘッドコンソール１００の外側に向かって流出する。
【００７４】
このように、上記設置構造では、下側スリット部１０１，１０１，…を通過した空気Ａを、それぞれ異なる複数の方向に向かってオーバーヘッドコンソール１００の外側に流出させることが可能となる。
【００７５】
（実施形態の作用効果）
撮像装置１では、ＬＥＤ素子４０，４０，…が基板３０の第１面３０ａに配線パターン（第１および第２配線パターン３１，３２）と電気的に接続された状態で実装されている。このため、各ＬＥＤ素子４０が照明光を照射する際の消費電力に起因して各ＬＥＤ素子４０に生じた熱が各ＬＥＤ素子４０から基板３０に伝わるようになる。その結果、基板３０に形成された配線パターンが発熱して高温になりやすくなる。これに対し、撮像装置１では、第１放熱部材５０が第１面３０ａと対向する位置に配置されかつ第２放熱部材６０が第２面３０ｂと対向する位置に配置されていて、第１および第２放熱部材５０，６０の各々が基板３０を挟んだ状態で基板３０に取り付けられている。この第１および第２放熱部材５０，６０により、少なくとも基板３０から発生した熱を、第１面３０ａおよび第２面３０ｂの双方から同時に放熱することが可能となる。また、基板３０を介してＬＥＤ素子４０，４０，…と対向する位置を含むように配置された各第２放熱部材６０により、各ＬＥＤ素子４０から発生した熱を直接的に放熱することが可能となる。したがって、実施形態に係る撮像装置１では、主にＬＥＤ素子４０，４０，…に起因する基板３０の発熱を効率よく放熱することができ、基板３０が高温状態となっても信頼性が高い動作環境を得ることができる。
【００７６】
また、第１および第２放熱部材５０，６０は、基板３０を介して互いに熱結合されている。これにより、基板３０に生じた熱が、基板３０から第１および第２放熱部材５０，６０の双方に向かって分散される。その結果、基板３０の発熱を効率よく放熱することができる。
【００７７】
また、第１および第２配線パターン３１，３２は、スルーホール３５，３５，…により互いに熱結合されている。これにより、基板３０に生じた熱が、第１および第２配線パターン３１，３２の双方に分散される。その結果、第１および第２放熱部材５０，６０による放熱効果の偏りを抑制することができる。
【００７８】
また、第２配線パターン３２と第２放熱部材６０との間に配置された放熱シート７０，７０により、基板３０およびＬＥＤ素子４０，４０，…による発熱を第２放熱部材６０に効率よく伝熱することができる。
【００７９】
また、第１放熱部材５０は、放熱面５０ｂに互いに間隔をあけた状態で一体に突設され、空気Ａにより冷却されるフィン５４，５４，…を有している。このフィン５４，５４，…により、基板３０の発熱によりベース部５１を介して高温となった第１放熱部材５０が、自然対流が生じた空気Ａにより冷却される（図１４参照）。これにより、基板３０の発熱を、ベース部５１の伝熱面５０ａから放熱面５０ｂ側のフィン５４，５４，…に伝熱させて効率良く放熱することができる。
【００８０】
また、フィン５４，５４，…は、各々が重力方向に沿って互いに平行に延びるように形成されている。これにより、空気Ａを、スムーズに自然対流させることが可能となる。その結果、基板３０の発熱を、フィン５４，５４，…により効率良く放熱することができる。
【００８１】
また、第１放熱部材５０は、フィン開口部５５，５５，…を有している。このため、フィン５４，５４，…の近傍で自然対流が生じた空気Ａを、ベース部５１に設けられたフィン開口部５５に向かって流出させることが可能となる。これにより、空気Ａの自然対流をより一層促進させることができる。
【００８２】
また、この実施形態では、各フィン開口部５５がフィン５４，５４同士の間に配置されている。このような配置により、フィン５４，５４，…の近傍で自然対流が生じた空気Ａが、各フィン開口部５５に向かってスムーズに流れるようになる。その結果、空気Ａの自然対流をより一層促進させることができる。
【００８３】
また、前面カバー部５には、各フィン５４の下端部よりも下方に配置されかつ各フィン５４の下端部と対向する位置に配置された下側開口部５ｂ，５ｂ，…が設けられている。このため、流入口に対応する各下側開口部５ｂから各フィン５４周辺の位置に向かって自然対流する空気Ａを取り込みやすくなる。その結果、自然対流による空気Ａが各フィン５４の表面長手方向に沿って滞りなく流れるようになり、基板３０の発熱を効率よく放熱することができる。
【００８４】
［実施形態の変形例１］
上記実施形態では、前面カバー部５の上端部が第１放熱部材５０の上端部よりも下方に位置する形態を示したが、この形態に限られない。例えば、図１５に示した変形例１に係る撮像装置１のように、前面カバー部５を、その上端部が第１放熱部材５０の上端部と面一となるように形成してもよい。
【００８５】
また、図１５に示すように、この変形例１では、前面カバー部５の上端部に上側開口部５ｃ，５ｃ，…が設けられている。各上側開口部５ｃは、前面カバー部５の上端部を、開口凹部５ａの端面から前方に向かって凹陥状に切り欠いた状態となるように形成されている。また、上側開口部５ｃ，５ｃ，…は、平面視において左右方向に互いに間隔をあけて配置されている。この上側開口部５ｃ，５ｃ，…により、前面カバー部５の上端部と第１放熱部材５０の上端部との間に間隙が形成されるようになる。
【００８６】
そして、図１６に示すように、変形例１に係る撮像装置１をオーバーヘッドコンソール１００内に設置した設置構造では、下側スリット部１０１，１０１，…を通過した空気Ａを、上記間隙からオーバーヘッドコンソール１００の外側に向かってスムーズに流出させることができる。
【００８７】
さらに、図１７に示すように、各上側開口部５ｃは、前面カバー部５が第１放熱部材５０に固定された状態において、各フィン５４の重力方向における上端部よりも上方に位置しかつフィン５４，５４同士の間隙の位置に対応するように配置されている。すなわち、各上側開口部５ｃは、各フィン開口部５５と同様に、左右方向において各フィン５４の上端部とずれた位置に配置されている。このため、下側スリット部１０１，１０１，…を通過した空気Ａを、各フィン開口部５５および各上側開口部５ｃの双方に通過させて、オーバーヘッドコンソール１００の外側に向かってスムーズに流出させることができる。
【００８８】
［実施形態の変形例２］
図１８は、上記実施形態に係る撮像装置１の変形例２を示す。この変形例では、上記実施形態と比較して、各フィン５４の形状が一部異なっている。なお、以下の説明では、図１〜図１４と同じ部分について同じ符号を付し、その詳細な説明を省略する。
【００８９】
図１８に示すように、各フィン５４において、上端部および下端部の各端面（すなわち四角柱の各底面）と各側面とが隣り合う辺の角部に面取り部５６，５６，…が形成されている。また、側面同士が隣り合う辺の角部にも面取り部５６，５６，…が形成されている。
【００９０】
このように、面取り部５６，５６，…を有する各フィン５４は、面取りされていない四角柱状の各フィン５４と比較してその表面積が増大する。その結果、各フィン５４と自然対流による空気Ａとの接触面積が増えることになる。したがって、この変形例に係る撮像装置１では、各フィン５４による放熱性が向上し、基板３０の発熱をより一層効率よく放熱することができる。
【００９１】
なお、この変形例では、面取り部５６，５６，…を、各フィン５４における上端部および下端部の各端面（すなわち四角柱の底面）と各側面とが隣り合う辺の角部にのみ形成してもよい。あるいは、面取り部５６，５６，…を、各フィン５４における側面同士が隣り合う辺の角部にのみ形成してもよい。
【００９２】
［実施形態の変形例３］
次に、実施形態の変形例３について説明する。
【００９３】
実施形態の変形例３に係る撮像装置は、実施形態の撮像装置１と比較して、第１放熱部材５０および第２放熱部材１６０とカメラ部２０とが熱絶縁されている構成が異なる。また、実施形態の変形例３に係る撮像装置は、実施形態の撮像装置１と比較して、第２放熱部材１６０の構成が異なる。
【００９４】
以下では、実施形態の変形例３に係る撮像装置の構成の内、実施形態の撮像装置１と異なる構成について図１９〜図２１を用いて主に説明する。なお、実施形態の変形例３に係る撮像装置のその他の構成は、実施形態の撮像装置１と同様であるので、撮像装置１と同様の構成には同じ符号を付し、その詳細な説明を省略する。
【００９５】
図１９は、実施形態の変形例３に係る撮像装置における撮像ユニット１１０を前方から見て示す斜視図である。図２０は、実施形態の変形例３に係る撮像装置における撮像ユニット１１０を後方から見て示す斜視図である。図２１は、実施形態の変形例３に係る撮像ユニット１１０の分解斜視図である。
【００９６】
図１９〜図２１に示すように、撮像ユニット１１０は、実施形態に係る撮像ユニット１０の第２放熱部材６０，６０とは異なる形状の第２放熱部材１６０，１６０を有する。また、撮像ユニット１１０は、さらに、第１放熱部材５０とカメラ部２０とを熱絶縁するための、樹脂材８０，８０を有する。
【００９７】
まず、第２放熱部材１６０，１６０の構成について説明する。各第２放熱部材１６０は、伝熱面１６０ａと、放熱面１６０ｂと、ビス取付部１６０ｃ，１６０ｃ，…と、ピン挿入孔１６０ｄ，１６０ｄと、覆い部１６１とを有する。伝熱面１６０ａ、放熱面１６０ｂ、ビス取付部１６０ｃ，１６０ｃ，…、およびピン挿入孔１６０ｄ，１６０ｄは、それぞれ、実施形態の伝熱面６０ａ、放熱面６０ｂ、ビス取付部６０ｃ，１６０ｃ，…、およびピン挿入孔６０ｄ，６０ｄと同様の構成である。
【００９８】
覆い部１６１は、コネクタ部４１の側方を覆う部位であり、コネクタ部４１における外部の配線との接続部分以外の部分を覆う部位である。覆い部１６１は、第２放熱部材６０の上部と、当該上部に配置されている２つのビス取付部１６０ｃ、１６０ｃとに接続されている部位である。覆い部１６１は、伝熱面１６０ａおよび放熱面１６０ｂに略直交する方向に延び、コネクタ部４１の、外部の配線との接続部分を除く側方を覆う壁状の部位と、コネクタ部４１の後方を覆う壁状の部位とを有する。つまり、覆い部１６１は、コネクタ部４１の側方を面状に覆う部位であり、外部の配線が配置される領域に配線用の開口部１６２を有する部位である。さらに、言い換えると、覆い部１６１は、コネクタ部４１の側面のうち、接続部分が配置される側の側面を除く側面を覆う部位である。
【００９９】
このように、覆い部１６１は、金属製の第２放熱部材１６０の一部であり、コネクタ部４１の側方を覆うため、コネクタ部４１による電磁ノイズのカメラ部２０への影響を低減することができる。
【０１００】
なお、コネクタ部４１，４１は、基板３０の後方に配置されている構成であるが、基板３０の前方に配置されている構成である場合には、基板３０の前方に配置される第１放熱部材にコネクタ部を覆う覆い部が設けられていてもよい。
【０１０１】
次に、第１放熱部材５０および第２放熱部材１６０とカメラ部２０とが熱絶縁されている構成について、図２２を用いて説明する。
【０１０２】
図２２は、図２０のＸＸＩＩ−ＸＸＩＩ線断面図である。なお、図２２の（ａ）は、図２０のＸＸＩＩ−ＸＸＩＩ線断面図の全体を示す図である。図２２の（ｂ）は、図２２の（ａ）における領域Ａ１の拡大図である。
【０１０３】
ここで、上記実施形態では言及していなかったが、カメラ部２０のカメラ本体部２１には、カメラ本体部２１の筐体状の面に沿って面状の金属シールド部２１ａが形成されていてもよい。金属シールド部２１ａは、カメラ部２０が有するレンズ部２３および図示しないイメージセンサを覆うように面状に形成されていればよい。つまり、金属シールド部２１ａは、カメラ部２０の側面のうち、カメラ部２０の光軸と交差する領域を除く側面を覆う。金属シールド部２１ａは、例えば、図２２の破線で示すようにカメラ本体部２１の筐体を構成する壁の中（つまり、壁の外面と内面との間）に層状に形成されていてもよい。また、金属シールド部２１ａは、当該壁の外面に形成されていてもよいし、当該壁の内面に形成されていてもよい。また、カメラ本体部２１を金属で構成することで、カメラ本体部２１自体を金属シールド部２１ａとして機能させてもよい。
【０１０４】
熱絶縁されている構成の説明に戻る。第１放熱部材５０および第２放熱部材１６０，１６０と金属シールド部２１ａとの間には、空気層８１，８２が形成される、または、樹脂材８０が配置される。これにより、第１放熱部材５０および第２放熱部材１６０，１６０と、金属シールド部２１ａとは、熱絶縁されている。言い換えると、第１放熱部材５０のレンズ開口部５０ｇと金属シールド部２１ａが設けられているカメラ本体部２１との間に隙間が形成されることで、第１放熱部材５０と金属シールド部２１ａとの間に空気層８１が形成されている。同様に、第２放熱部材１６０と金属シールド部２１ａとの間に隙間が形成されることで、第２放熱部材１６０と金属シールド部２１ａとの間に空気層８２が形成されている。
【０１０５】
樹脂材８０は、具体的には、カメラ部２０のビス取付部２４と、第１放熱部材５０との間に配置され、かつ、基板３０の貫通孔３０ｈに内包されるように配置される。このように、第１放熱部材５０と金属シールド部２１ａとの間には、樹脂材８０が配置されることで、第１放熱部材５０と金属シールド部２１ａとは、熱絶縁されている。
【０１０６】
また、樹脂材８０は、カメラ部２０を基板３０に固定するためのビスＶにより貫通される貫通孔を有する。樹脂材８０は、第１放熱部材５０と、金属シールド部２１ａとの間で、ビスＶによる共締めにより固定される。つまり、ビスＶは、カメラ部２０のビス取付部２４、および、樹脂材８０を貫通した状態で第１放熱部材５０のビス取付部５０ｉに螺合されて固定される。これにより、カメラ部２０は、第１放熱部材５０との間で熱絶縁された状態で、基板３０および第１放熱部材５０に固定される。このため、ビスＶなどの締結部材により、カメラ部２０が第１放熱部材５０に固定される構成であっても、第１放熱部材５０と金属シールド部２１ａとの間を容易に熱絶縁することができる。
【０１０７】
なお、第１放熱部材５０および第２放熱部材１６０，１６０と、金属シールド部２１ａとは、第１放熱部材５０および第２放熱部材１６０，１６０と金属シールド部２１ａとの間に空気層８１，８２が形成されることとしたが、これに限らない。例えば、第１放熱部材と金属シールド部との間のみに空気層が形成されてもよいし、第２放熱部材と金属シールド部との間のみに空気層が形成されてもよい。つまり、第１放熱部材および第２放熱部材の少なくとも一方の放熱部材と、金属シールド部とは、当該少なくとも一方の放熱部材と金属シールド部との間に空気層が形成されることにより熱絶縁されていればよい。このため、簡単な構成で熱絶縁することができる。
【０１０８】
また、樹脂材８０は、第１放熱部材５０と金属シールド部２１ａとの間に配置されることとしたが、これに限らずに、さらに、第２放熱部材１６０，１６０と金属シールド部２１ａとの間に配置されてもよい。また、樹脂材８０は、第１放熱部材５０と金属シールド部２１ａとの間に配置されずに、第２放熱部材１６０，１６０と金属シールド部２１ａとの間に配置されてもよい。つまり、第１放熱部材および第２放熱部材の少なくとも一方の放熱部材と、金属シールド部とは、当該少なくとも一方の放熱部材と金属シールド部との間に樹脂材が配置されることにより熱絶縁されていればよい。このため、例えば、第１放熱部材および第２放熱部材の少なくとも一方の放熱部材と、金属シールド部とを互いに固定する場合などのように、互いに接する必要がある場合に、効果的に熱絶縁することができる。
【０１０９】
実施形態の変形例３に係る撮像装置によれば、第１放熱部材５０および第２放熱部材１６０，１６０と、金属シールド部２１ａとは熱絶縁されているため、第１放熱部材５０または第２放熱部材１６０，１６０に伝達された基板３０からの熱が、さらに、カメラ部２０に伝達されることを低減することができる。これにより、基板３０が高温状態となっても信頼性が高い動作環境を得ることができる。
【０１１０】
なお、実施形態の変形例３で説明した、第１放熱部材５０および第２放熱部材１６０とカメラ部２０とが熱絶縁されている構成は、実施形態の撮像ユニット１０に適用されてもよい。
【０１１１】
［その他の実施形態］
上記実施形態では、メイン基板６をカバー部材２内に配設した形態を示したが、この形態に限られない。すなわち、メイン基板６をカバー部材２の外部に配設した形態であってもよい。
【０１１２】
また、上記実施形態では、基板３０に形成された配線パターンが第１配線パターン３１および第２配線パターン３２，３２の両方を有する形態を示したが、この形態に限られない。すなわち、配線パターンは、第１配線パターン３１および第２配線パターン３２，３２の少なくともいずれか一方を有していればよい。
【０１１３】
また、上記実施形態では、第１配線パターン３１および第２配線パターン３２，３２の各々を面状パターンとした形態を示したが、この形態に限られない。すなわち、第１配線パターン３１および第２配線パターン３２，３２の各々を一般的な線状に形成した形態にしてもよい。
【０１１４】
また、上記実施形態では、２つに分割された第２放熱部材６０，６０を設けた形態を示したが、この形態に限られない。すなわち、上記実施形態で示した第２放熱部材６０，６０を一体形成した部材を、基板３０を介してＬＥＤ素子４０，４０，…と対向する位置を含むように配設した形態としてもよい。
【０１１５】
また、上記実施形態では、第２放熱部材６０の伝熱面６０ａを、放熱シート７０，７０を介して第２配線パターン３２に接触させた形態を示したが、この形態に限られない。すなわち、第２放熱部材６０の伝熱面６０ａを、放熱シート７０，７０を用いずに第２配線パターン３２に接触させた形態としてもよい。
【０１１６】
また、上記実施形態では、第１放熱部材５０の伝熱面５０ａ側に位置するビス締結部５０ｃの端面を、はんだ等からなる接合部３７を介して第１グランド部３３と接触させた形態を示したが、この形態に限られない。すなわち、ビス締結部５０ｃの端面を、接合部３７を用いずに第１グランド部３３と接触させた形態としてもよい。これと同様に、第２放熱部材６０のビス取付部６０ｃ端面を、接合部３７を用いずに第２グランド部３４と接触させた形態としてもよい。
【０１１７】
また、上記実施形態では、各フィン開口部５５を、左右方向におけるフィン５４，５４同士の間隙の位置に対応するように配置した形態を示したが、この形態に限られない。すなわち、各フィン開口部５５を、各フィン５４の上端部と対向する位置に配置してもよい。このような構成としても、自然対流による空気Ａが各フィン５４の表面長手方向に沿って滞りなく流れることができるので、基板３０の発熱を効率よく放熱することができる。
【０１１８】
また、上記実施形態では、撮像装置１を、車両内に設けられたシートに着座した乗員の状態を監視するためのものとして説明したが、この用途に限定されるものではなく、発光素子を内蔵する撮像装置の全般に適用可能である。
【０１１９】
また、上記実施形態では、撮像装置１を、カメラ部２０が内蔵された撮像ユニット１０を備えた形態として説明したが、この形態に限られない。すなわち、カメラ部２０と、基板３０に実装された発光素子および放熱部材（第１放熱部材５０、第２放熱部材６０）と、を別体とし、これらを組み合わせることにより、撮像装置１を構成してもよい。
【０１２０】
以上、本発明についての実施形態を説明したが、本発明は上述の実施形態のみに限定されず、発明の範囲内で種々の変更が可能である。
【産業上の利用可能性】
【０１２１】
本発明は、例えば車室内のオーバーヘッドコンソール内に設置され、車両のシートに着座した乗員の状態を監視する撮像装置として産業上の利用が可能である。
【符号の説明】
【０１２２】
１：撮像装置
２：カバー部材
３：カバー本体部
４：天面カバー部
４ａ：開口部
５：前面カバー部
５ａ：開口凹部
５ｂ：下側開口部
５ｃ：上側開口部
６：メイン基板
６ａ：カメラ挿入孔
７：放熱シート
１０、１１０：撮像ユニット
２０：カメラ部
２１：カメラ本体部
２１ａ：金属シールド部
２２：電源部
２３：レンズ部
２４：ビス取付部
３０：基板
３０ａ：第１面
３０ｂ：第２面
３０ｃ：ビス挿入孔
３０ｄ：ピン挿入孔
３０ｅ：ボス挿入孔
３０ｆ：凹部
３０ｇ：中央開口部
３０ｈ：貫通孔
３１：第１配線パターン
３２：第２配線パターン
３３：第１グランド部
３４：第２グランド部
３５，３６：スルーホール
３７：接合部
４０：ＬＥＤ素子（発光素子）
４１：コネクタ部
５０：第１放熱部材
５０ａ：伝熱面
５０ｂ：放熱面
５０ｃ：ビス締結部
５０ｄ：ピン部
５０ｅ：ボス部
５０ｆ：凸部
５０ｈ：ＬＥＤ開口部
５０ｉビス取付部
５１：ベース部
５２：周壁部
５３：台座部
５４：フィン
５５：フィン開口部
５６：面取り部
６０、１６０：第２放熱部材
６０ａ、１６０ａ：伝熱面
６０ｂ、１６０ｂ：放熱面
６０ｃ、１６０ｃ：ビス取付部
６０ｄ、１６０ｄ：ピン挿入孔
７０：放熱シート
８０：樹脂材
８１，８２：空気層
１００：オーバーヘッドコンソール
１０１：下側スリット部
１０２：上側スリット部
１０３：透過部
１０４：ブラケット
１６１：覆い部
１６２：開口部
【図１】
2019211746.tif 000003
【図２】
2019211746.tif 000004
【図３】
2019211746.tif 000005
【図４】
2019211746.tif 000006
【図５】
2019211746.tif 000007
【図６】
2019211746.tif 000008
【図７】
2019211746.tif 000009
【図８】
2019211746.tif 000010
【図９】
2019211746.tif 000011
【図１０】
2019211746.tif 000012
【図１１】
2019211746.tif 000013
【図１２】
2019211746.tif 000014
【図１３】
2019211746.tif 000015
【図１４】
2019211746.tif 000016
【図１５】
2019211746.tif 000017
【図１６】
2019211746.tif 000018
【図１７】
2019211746.tif 000019
【図１８】
2019211746.tif 000020
【図１９】
2019211746.tif 000021
【図２０】
2019211746.tif 000022
【図２１】
2019211746.tif 000023
【図２２】
2019211746.tif 000024